(57)【要約】【課題】カマデッドを備えた扉用施錠装置に於いて、防犯性の向上を図ること。【解決手段】カマデッドを所定の空間を有して上下に１対平行に並設し、また、錠箱に横設した上下一対の固定軸にそれぞれ軸支されたカマデッドを構成する上下のカマの基端部にそれぞれカマ係合部（例えば係合歯、係合ピン）を設け、これらのカマ係合部が係合する被係合部を有するカマデッド同期用の可動ラックを錠箱の水平ガイドに摺動自在に嵌装し、施錠時、ダルマが回転すると、上下のカマデッドは、可動ラックを介して同期移動し、デッドボルトの先端部は固定部材の受穴に係入すると共に、カマの先端部は前記受穴の周囲における固定部材の掛合部分の裏面に掛止し得ることを特徴とする扉用施錠装置。【選択図】図１
2010159554.tif 000002
【特許請求の範囲】
【請求項１】
錠箱内に、ダルマと、デッドボルトと該デッドボルトに連動するカマとから成り、前記デッドボルトの後端部に形成された係合部が前記ダルマの駆動腕と係合すると共に該ダルマの駆動力に基づき先端部が垂直方向の固定部材の受穴に係入するように前記錠箱の面座から進退動するカマデッドを組み込んだ扉用施錠装置に於いて、前記カマデッドを所定の空間を有して上下に１対平行に並設し、また、前記錠箱に横設した上下一対の固定軸にそれぞれ軸支された前記上下のカマの基端部にそれぞれカマ係合部を設け、これらのカマ係合部が係合する被係合部を有するカマデッド同期用の可動ラックを前記錠箱の水平ガイドに摺動自在に嵌装し、施錠時、前記ダルマが回転すると、前記上下のカマデッドは、前記可動ラックを介して同期移動し、前記デッドボルトの先端部は前記固定部材の受穴に係入すると共に、前記カマの先端部は前記受穴の周囲における固定部材の掛合部分の裏面に掛止し得ることを特徴とする扉用施錠装置。
【請求項２】
錠箱内に、ダルマと、デッドボルトと該デッドボルトに連動するカマとから成り、前記デッドボルトの後端部に形成された係合部が前記ダルマの駆動腕と係合すると共に該ダルマの駆動力に基づき先端部が垂直方向の固定部材の受穴に係入するように前記錠箱の面座から進退動するカマデッドとを組み込んだ扉用施錠装置に於いて、前記カマデッドを所定の空間を有して上下に１対平行に並設し、これらのカマデッドの前記デッドボルトの内側の対向側端部には、水平方向にラックがそれぞれ設けられ、これらのラックにそれぞれ噛合するカマデッド同期用の上下一対の小歯車を互いに噛み合うように配設し、施錠時、前記ダルマが回転すると、前記上下のカマデッドは、前記上下一対の小歯車を介して同期移動し、前記デッドボルトの先端部は前記固定部材の受穴に係入すると共に、前記カマの先端部は前記受穴の周囲における固定部材の掛合部分の裏面に掛止し得ることを特徴とする扉用施錠装置。
【請求項３】
錠箱内に、ダルマと、デッドボルトと該デッドボルトに連動するカマとから成り、前記デッドボルトの後端部に形成された係合部が前記ダルマの駆動腕と係合すると共に該ダルマの駆動力に基づき先端部が垂直方向の固定部材の受穴に係入するように前記錠箱の面座から進退動するカマデッドとを組み込んだ扉用施錠装置に於いて、前記カマデッドを所定の空間を有して上下に１対平行に並設し、また、中央部が上下一対の固定軸にそれぞれ軸支され、かつ互いに連結された内端部が弧状軌跡を描きながら前後方向へと移行する第１連結可動ピンで連結されていると共に、各外端部が上下方向に同時に移動する上下一対の第２連結可動ピンでそれぞれ連結されたカマデッド同期用の二本のリンクを配設し、施錠時、前記ダルマが回転すると、前記上下のカマデッドは、前記二本のリンクを介して同期移動し、前記デッドボルトの先端部は前記固定部材の受穴に係入すると共に、前記カマの先端部は前記受穴の周囲における固定部材の掛合部分の裏面に掛止し得ることを特徴とする扉用施錠装置。
【請求項４】
錠箱内に、ダルマと、デッドボルトと該デッドボルトに連動するカマとから成り、前記デッドボルトの後端部に形成された係合部が前記ダルマの第１駆動腕と係合すると共に該ダルマの駆動力に基づき先端部が垂直方向の固定部材の受穴に係入するように前記錠箱の面座から進退動するカマデッドとを組み込んだ扉用施錠装置に於いて、前記カマデッドを所定の空間を有して上下に１対平行に並設し、また、前記ダルマ１２Ｃには前記第１駆動腕の反対側に延びる第２駆動腕２７Ａを設け、該第２駆動腕と他方のカマデッド１３Ｃのデッドボルト１６Ｃの後端部に該ダルマ１２Ｃと共働するカマデッド同期用の前記第２駆動腕（第１リンク）２７Ａとデッドボルト側の第２リンク２６Ａとをガイドを有する制御金具４１を介して連結状態に配設し、施錠時、ダルマ１２Ｃが回転すると、上下のカマデッド１３Ｃは、第２駆動腕（第１リンク）２７Ａ、制御金具４１及び第２リンク２６Ａをそれぞれ介して同期的に移動し、デッドボルト１６Ｃの先端部は固定部材７の受穴１０に係入すると共に、カマ１９の先端部は前記受穴１０の周囲における固定部材７の掛合部分９ａの裏面に掛止し得ることを特徴とする扉用施錠装置。
【請求項５】
請求項４に於いて、固定部材は、戸枠の縦枠に固定されたトロヨケとストライクから成る受け具であり、前記ストライクは、中央部の掛合部分を基準として上下に一対の受穴を有すると共に、該受け具の中には、ストライク変形防止部材が該受け具と一体的に設けられていることを特徴とする扉用施錠装置。
【発明の詳細な説明】
【技術分野】
【０００１】
本発明は、引戸、開き扉等の開閉体に取り付けられる扉用施錠装置に関する。
【背景技術】
【０００２】
特許文献１には、「親扉の自由端部に設けられた錠箱内に、横方向に進退動する横デッドボルトと、該横デッドボルトに対して直交すると共に上下方向に進退動する縦デッドボルトとを組み込む事項」が開示されている。この特許文献１の前記横デッドボルトは、例えば錠箱の垂直面座（フロント）から突出して親扉の自由端部と対向する子扉の受具の受穴に係入し、一方、前記縦デッドボルトは、前記錠箱の水平面座（底壁）から突出して戸枠の下枠の受具の受穴に係入する。
【０００３】
この特許文献１の実施例は、「扉用のダブルデッド錠」と称すべきものであるが、固定部材（戸枠、受け具）に対して扉を縦方向と横方向に同時に施錠する場合には適合するが、垂直方向の固定部材の受穴（例えば縦枠や縦枠に設けた受け具の受穴）に同時に複数個（例えば２個）の横デッドボルトが同時に係入するものではないから、ダブルデッド錠の取付け箇所が限定されるという問題点がある。また、子扉側の防犯性という観点から考察した場合、施錠片は記垂直面座（フロント）から子扉側の受穴へと進入する一つのデッドボルトのみであるから、子扉側の防犯性を向上させることができないという問題点もある。
【０００４】
また、特許文献２には、「錠箱内にデッドボルトと該デッドボルトに連動するカマとから成る一つのカマデッドとを組み込んだ扉用施錠装置」が開示されている。付言すると、特許文献２には、例えば合鍵の操作力によって回転するシリンダ錠又はサムターンと、該シリンダ錠又はサムターンの作動により施錠・解錠方向へ作動する駆動部材と、該駆動部材の駆動力に基づき先端部が垂直方向の固定部材の受穴に係入するように錠箱の面座から進退動する一つのカマデッドとから構成され、前記一つのカマデッドは、デッドボルトと、支持軸及びガイドピンを含む案内手段を介してデッドボルトに連動（従動）するカマとから成る事項が開示されている。
【０００５】
この特許文献２は、特許文献１の「扉用のダブルデッド錠」に対して「カマデッド錠」と称すべきものであり、普通一般の「デッドボルトのみ」又は「カマのみ」を備えた錠前に対して防犯性に優れている。
【０００６】
そこで、現在、例えば特許文献２の記載のカマデッド錠を前提にして、より防犯性に優れている扉用施錠装置の出現が要望されている。
【先行技術文献】
【特許文献】
【０００７】
【特許文献１】特開１１０６−９７３６１号公報
【特許文献２】特開１１０７−７０９２６号公報
【発明の概要】
【発明が解決しようとする課題】
【０００８】
本願発明の所期の目的は、例えば特許文献２の記載のカマデッド錠を前提にして、容易に複数個のカマデッドが固定部材の掛合部分から離れないようにし、もって、より防犯性に優れている扉用施錠装置を提案することである。
【０００９】
本発明の第２の目的は、錠箱内に平行に併設した上下一対のカマデッドを、部品点数が１つ又は２つの連動手段（可動ラックを含む歯車機構又は二本のリンクを主体とするリンク機構）を用いて円滑に同期させることである。本発明の第３の目的は、施錠状態に於いて、開閉体を開く方向へ力が作用して、固定部材のストライクに対して集中的な力が加わることになっても、ストライクが容易に変形しないことである。
【課題を解決するための手段】
【００１０】
本発明の扉用施錠装置は、錠箱内に、ダルマと、デッドボルトと該デッドボルトに連動するカマとから成り、前記デッドボルトの後端部に形成された係合部が前記ダルマの駆動腕と係合すると共に該ダルマの駆動力に基づき先端部が垂直方向の固定部材の受穴に係入するように前記錠箱の面座から進退動するカマデッドを組み込んだ扉用施錠装置に於いて、前記カマデッドを所定の空間を有して上下に１対平行に並設し、また、前記錠箱に横設した上下一対の固定軸にそれぞれ軸支された前記上下のカマの基端部にそれぞれカマ係合部（例えば係合歯、係合ピン）を設け、これらのカマ係合部が係合する被係合部を有するカマデッド同期用の可動ラックを前記錠箱の水平ガイドに摺動自在に嵌装し、施錠時、前記ダルマが回転すると、前記上下のカマデッドは、前記可動ラックを介して同期移動し、前記デッドボルトの先端部は前記固定部材の受穴に係入すると共に、前記カマの先端部は前記受穴の周囲における固定部材の掛合部分の裏面に掛止し得ることを特徴とする（請求項１）。
【００１１】
また、本発明の扉用施錠装置は、錠箱内に、ダルマと、デッドボルトと該デッドボルトに連動するカマとから成り、前記デッドボルトの後端部に形成された係合部が前記ダルマの駆動腕と係合すると共に該ダルマの駆動力に基づき先端部が垂直方向の固定部材の受穴に係入するように前記錠箱の面座から進退動するカマデッドとを組み込んだ扉用施錠装置に於いて、前記カマデッドを所定の空間を有して上下に１対平行に並設し、これらのカマデッドの前記デッドボルトの内側の対向側端部には、水平方向にラックがそれぞれ設けられ、これらのラックにそれぞれ噛合するカマデッド同期用の上下一対の小歯車を互いに噛み合うように配設し、施錠時、前記ダルマが回転すると、前記上下のカマデッドは、前記上下一対の小歯車を介して同期移動し、前記デッドボルトの先端部は前記固定部材の受穴に係入すると共に、前記カマの先端部は前記受穴の周囲における固定部材の掛合部分の裏面に掛止し得ることを特徴とする（請求項２）。
【００１２】
また、本発明の扉用施錠装置は、錠箱内に、ダルマと、デッドボルトと該デッドボルトに連動するカマとから成り、前記デッドボルトの後端部に形成された係合部が前記ダルマの駆動腕と係合すると共に該ダルマの駆動力に基づき先端部が垂直方向の固定部材の受穴に係入するように前記錠箱の面座から進退動するカマデッドとを組み込んだ扉用施錠装置に於いて、前記カマデッドを所定の空間を有して上下に１対平行に並設し、また、中央部が上下一対の固定軸にそれぞれ軸支され、かつ互いに連結された内端部が弧状軌跡を描きながら前後方向へと移行する第１連結可動ピンで連結されていると共に、各外端部が上下方向に同時に移動する上下一対の第２連結可動ピンでそれぞれ連結されたカマデッド同期用の二本のリンクを配設し、施錠時、前記ダルマが回転すると、前記上下のカマデッドは、前記二本のリンクを介して同期移動し、前記デッドボルトの先端部は前記固定部材の受穴に係入すると共に、前記カマの先端部は前記受穴の周囲における固定部材の掛合部分の裏面に掛止し得ることを特徴とする（請求項３）。
【００１３】
さらに、本発明の扉用施錠装置は、錠箱内に、ダルマと、デッドボルトと該デッドボルトに連動するカマとから成り、前記デッドボルトの後端部に形成された係合部が前記ダルマの第１駆動腕と係合すると共に該ダルマの駆動力に基づき先端部が垂直方向の固定部材の受穴に係入するように前記錠箱の面座から進退動するカマデッドとを組み込んだ扉用施錠装置に於いて、前記カマデッドを所定の空間を有して上下に１対平行に並設し、また、前記ダルマ１２Ｃには前記第１駆動腕の反対側に延びる第２駆動腕２７Ａを設け、該第２駆動腕と他方のカマデッド１３Ｃのデッドボルト１６Ｃの後端部に該ダルマ１２Ｃと共働するカマデッド同期用の前記第２駆動腕（第１リンク）２７Ａとデッドボルト側の第２リンク２６Ａとをガイドを有する制御金具４１を介して連結状態に配設し、施錠時、ダルマ１２Ｃが回転すると、上下のカマデッド１３Ｃは、第２駆動腕（第１リンク）２７Ａ、制御金具４１及び第２リンク２６Ａをそれぞれ介して同期的に移動し、デッドボルト１６Ｃの先端部は固定部材７の受穴１０に係入すると共に、カマ１９の先端部は前記受穴１０の周囲における固定部材７の掛合部分９ａの裏面に掛止し得ることを特徴とする（請求項４）。
【００１４】
さらに、本本発明の扉用施錠装置の固定部材は、戸枠の縦枠に固定されたトロヨケとストライクから成る受け具であり、前記ストライクは、中央部の掛合部分を基準として上下に一対の受穴を有すると共に、該受け具の中には、ストライク変形防止部材が該受け具と一体的に設けられていることを特徴とする（請求項５）。
【発明の効果】
【００１５】
（ａ）請求項１乃至請求項４に記載の発明は、錠箱内に、カマデッドを所定の空間を有して上下に１対平行に並設し、これら上下のカマデッドが前記錠箱内に設けた連動手段を介して同時に進退し、施錠時、カマデッドを構成する上下のデッドボルトの各先端部は、固定部材の受穴に係入すると共に、上下のカマの鉤状先端部は前記受穴の周囲における固定部材の掛合部分の裏面に同時に掛止し得るので、より防犯性に優れている扉用施錠装置を得ることができる。
（ｂ）また、錠箱内に平行に併設した上下一対のカマデッドを、部品点数が１つ又は２つの連動手段（可動ラックを含む歯車機構又は二本のリンクを主体とするリンク機構）を用いて円滑に同期させることができる。
（ｃ）請求項５に記載の発明は、受け具の中には、ストライク変形防止部材が該受け具と一体的に設けられているので、扉用施錠装置にダブルのカマデッドの構成を採用しても、ストライクは容易に変形しない。
【図面の簡単な説明】
【００１６】
図１乃至図９は本発明の最良の実施例（第１実施例）を示す各説明図。
図１０乃至図１２は本発明の第２実施例を示す各説明図。
図１３乃至図１６は本発明の第３実施例を示す各説明図。
図１７乃至図２１は本発明の第４実施例を示す各説明図。
図２２乃至図２３は本発明の他の受け具を示す各説明図。
【図１】第１実施例の閉戸時における施錠状態を示す概略説明図。
【図２】錠箱の外観構成を示す斜視図。
【図３】錠箱の内部構成を示す概略説明図（細部的事項は省略）。
【図４】主要部の縦断面概略説明図。
【図５】主要部を構成する連動手段の説明図。
【図６】図６（ａ）及び図６（ｂ）は、錠箱を面座側から見た説明図で、前記（ａ）はカマデッドの解錠状態、前記（ｂ）はカマデッドの施錠状態の先端面をそれぞれ示す概略説明図。
【図７】受け具の斜視図。
【図８】受け具の正面図。
【図９】図８の９−９線断面図。
【図１０】第２実施例の図１と同様の説明図。
【図１１】第２実施例の図３と同様の説明図。
【図１２】第２実施例の主要部を構成する連動手段１４Ａの説明図。
【図１３】第３実施例の図１と同様の説明図。
【図１４】第３実施例の図３と同様の説明図。
【図１５】第３実施例の主要部を構成する連動手段１４Ｂの説明図。
【図１６】第３実施例の主要部の縦断面概略説明図。
【図１７】第４実施例の図１と同様の説明図。
【図１８】第４実施例の図３と同様の説明図。
【図１９】第４実施例の主要部を構成する連動手段１４Ｃの説明図。
【図２０】第４実施例の主要部の主要部を構成する連動手段１４Ｃの説明図（中途状態の時）。
【図２１】第４実施例の第１連結可動ピン２９Ａの軌跡の説明図。
【図２２】本発明の他の受け具７Ａを示す概略断面説明図。
【図２３】他の受け具７Ａの分解斜視図。
【発明を実施するための最良の形態】
【００１７】
以下、図１乃至図９に示す本発明を実施するための最良の形態（第１実施例）により説明する。
【００１８】
（１）錠箱１と垂直方向の固定部材７
図１は発明の実施の環境を示す各概略説明図である。図１は、閉扉時における固定部材７の受穴１０にカマデッド１３の先端部（デッドボルトとカマの各先端部）が係入した施錠時の概略説明図、図２は錠箱１の斜視図、図３は解錠時における錠箱１の内部構成を示す概略説明図である。
【００１９】
さて、図１乃至図３に於いて、１は錠箱で、この錠箱１は、例えば開閉体２の具体例としての引戸又は開き扉に内設される。もちろん、錠箱１を開閉体２の内壁面に面付け状態に取付けても良い。この錠箱１はケース身１ａ、ケース蓋１ｂ及び垂直面座（フロント）１ｃを有し、前記垂直面座１ｃには、後述する上方のカマデッド１３用上部開口３、下方のカマデッド１３用下部開口４がそれぞれ適宜に形成されている。また、垂直面座（フロント）１ｃの上下端部には不番の固着具用孔が形成されている。さらに、ケース身１ａ、ケース蓋１ｂの垂直面座１ｃ寄りの中央部には、垂直方向に所定間隔を有して上下一対の真円状の透孔（真円軸孔）５、５が形成され、これらの透孔５、５には、上下一対の固定軸１７、１７が横設軸架されている（図２参照）。
【００２０】
そして、本実施例では、錠箱１の上下の透孔５、５の間には、左右一対の水平ガイド（例えば水平切欠、横のガイド突条）６、６が設けられ、これらの水平ガイド６、６にカマデッド同期用の可動ラック１５が摺動自在に嵌装されている。付言すると、可動ラック１５は前記上下一対の固定軸６、６の間に位置し、錠箱の前後方向へ摺動自在に移動する。なお、ここで「錠箱の前後方向」とは、垂直面座（フロント）１ｃが前、後壁が後であることを基準としている。また、「錠箱の左右方向」とは、例えば垂直面座（フロント）１ｃの幅方向を基準として左右であることをいう。
【００２１】
一方、７は、錠箱１の垂直面座１ｃと対面する垂直方向の固定部材（柱、戸枠の縦枠、受け具）である。本実施例では、固定部材７は、戸枠の縦枠に固定されたトロヨケ８とストライク９から成る受け具であり、前記ストライク９は、中央部の掛合部分９ａを基準として上下に一対の受穴（係入穴）１０を有すると共に、前記中央部の掛合部分９ａは、ストライク変形防止部材１１を介して前記トロヨケ８に連結されている。錠箱１の外観構成は、図２に示す通りで、該錠箱１に形成した複数個の軸孔、嵌合孔、突起、ガイド、取付け用固着具等の細部的事項は割愛してある。
【００２２】
なお、本実施例の錠箱１は、あくまでも実施の環境を説明するための一例に過ぎないので、錠箱１内に駆動モータ、歯車、クラッチ手段等を配設し、いわゆる「電気錠」にすることもできる。したがって、後述する駆動部材としてのダルマ１２は、合鍵の回転操作による操作力のみならず、駆動モータの駆動力によっても回転する。
【００２３】
（２）本発明の主な構成部材
本発明の錠箱１内に組み込まれた主な構成部材は、ダルマ１２と、合計２つの「カマデッド（当業者用語）１３、１３」と、２つのカマデッド１３、１３を同時に進退動させるための可動ラックを含む歯車機構１４である。可動ラックを含む歯車機構は、ダルマ１２の駆動力により、一方のカマデッド１３（例えば下方のカマデッド）のカマ１９が回転すると、錠箱１の水平ガイド６、６に案内される一つの可動ラック１５が主体となって他方のカマデッド１３（上方のカマデッド）のカマ１９が連動するように回転する連動手段１４の一例である。
【００２４】
さて、カマデッド１３は施錠片の一例であり、水平方向に往復動するデッドボルト１６と、該デッドボルト１６と連動し、かつ固定軸（支軸）１７及び案内手段（例えば長孔とガイドピン）１８を介して所定量回転するカマ１９から構成されている。
【００２５】
そして、本発明は、例えば「錠箱１内に、ダルマ１２と、デッドボルト１６と該デッドボルトに連動するカマ１９とから成り、前記デッドボルトの後端部に形成された係合部２１が前記ダルマの駆動腕２２と係合すると共に、該ダルマの駆動力に基づき先端部が垂直方向の固定部材７の受穴１０に係入するように前記錠箱の面座１ｃから進退動するカマデッド１３とを組み込んだ扉用施錠装置」を前提条件とする。
【００２６】
しかして、本発明の特徴事項の一つは、図１及び図３で示すように、カマデッド１３を所定の空間２３を有して上下に１対平行に並設し、これら上下のカマデッド１３、１３が錠箱１内の垂直面座（フロント）１ｃ寄りの中央部に位置する連動機構（一つの可動ラックとこれに噛合する上下一対のカマ係合部）１４を介して同時に進退し、図１で示す施錠時に、デッドボルト１６の先端部１６ａは固定部材７の受穴１０に係入すると共に、カマ１９の鉤状先端部１９ａは前記受穴１０の周囲における固定部材７の掛合部分９ａの裏面に掛止する。
【００２７】
また、本発明の特徴事項のもう一つは、例えば図７に示す受け具（垂直方向の固定部材の一例）で、該受け具７は、前述したように、戸枠の縦枠に固定された横向き凹所状のトロヨケ８と、該トロヨケ８の上下の取付け端部に図示しない固着具を介して固定される長板状のストライク９から成り、前記ストライク９は、中央部の掛合部分９ａを基準として上下にカマデッド１３用の受穴１０、１０を有すると共に、前記中央部の掛合部分９ａは、ストライク変形防止部材１１を介して前記トロヨケ８の垂直底壁８ａに一体的に連結されている。付言すると、該受け具７の中には、ストライク変形防止部材１１が該受け具と一体的に設けられている。
【００２８】
ところで、前記ストライク変形防止部材１１の構成は、設計変更事項ではあるが、本実施例では、例えば図９で示すように一端面が中央部の掛合部分９ａの裏面に当接すると共に、その他端面がトロヨケ８の垂直底壁８ａの内壁面に当接する所定長の筒状支持柱１１ａと、この筒状支持柱１１ａの両端部に形成されたメネジに螺合する複数個の止めネジ１１ｂとから成る。
【００２９】
さらに、本発明の連動手段１４の一例は、例えば図４及び図５で示すように、錠箱１に横設した上下一対の固定軸１７、１７にそれぞれ軸支された上下一対のカマ１９、１９の基端部１９ｂ、１９ｂにそれぞれ設けられたカマ係合部（例えば係合歯、係合ピン）２０、２０と、これらのカマ係合部がそれぞれ垂直面状でそれぞれ係合する複数個の被係合部１５ｂをスライド方向に有すると共に、前記錠箱の左右一対の水平ガイド６、６に左右一対の突条１５ａ、１５ａを介して嵌装され、かつ一方のカマデッド１３のカマ１９が回転すると同時に前記水平ガイド６、６を滑動するカマデッド同期用の一つの可動ラック１５とから成る。
【００３０】
そして、施錠時、ダルマ１２が回転すると、上下のカマデッド１３は、前記連動手段１４の可動ラック１５を主体として同期移動する。したがって、連動手段１４は、上下一対のカマ１９、１９の基端部１９ｂ、１９ｂにカマ係合部２０、２０をそれぞれ設けると、錠箱１に水平方向に案内される所定長の可動ラック１５は一つで済むことになることから、極めて簡単に連動手段１４を錠箱１内に組み込むことができる。
【００３１】
（３）主な構成部材の具体的構成
まず、図２を参照にすると、錠箱１の垂直面座（フロント）１ｃの上部開口３と下部開口４からは、上方のカマデッド１３と下方のカマデッド１３の先端面が上下対称に見える。この図２から明らかなように、上方のカマデッド１３のデッドボルト１６の先端面は下向きＵ字形状であるのに対して、下方のカマデッド１３のデッドボルト１６の先端面は上向きＵ字形状である。
【００３２】
したがって、カマデッド１３のデッドボルト１６は、少なくとも先端縁部の端面或いは縦断面が略コ形状に形成され、カマデッド１３の後退時（解錠時）、カマ１９の鉤状先端部１９ａは、該略コ形状の先端部１６ａに収納され（図３）、一方、カマデッド１３の進出時（施錠時）、カマ１９の鉤状先端部１９ａは、該略コ形状の先端部１６ａから突出可能である（図１）。
【００３３】
付言すると、第１実施例の上下のカマ１９は、図１及び図６の（ｂ）で示すように、錠箱１の垂直面座（フロント）１ｃの上部開口３並びに下部開口４から同時に飛び出すと、各鉤状先端部１９ａは蟹腕の如く内側に対向する。
【００３４】
したがって、第１実施例の上下のカマ１９の各鉤状先端部１９ａは、施錠時、各デッドボルト１６の先端部１６ａが固定部材７の各受穴１０に係入すると、前記受穴１０の周囲におけるストライク９の中央部に相当する掛合部分９ａの裏面に互いに接近した状態で掛止され得る。
【００３５】
次に、図３を参照にすると、下方のデッドボルト１６の後端部には逆ハの字形状の係合部２１が形成され、一方、上方のデッドボルト１６の後端部にはハの字形状の係合部２１が形成されている。本実施例では、下方のデッドボルト１６の逆ハの字形状の係合部２１には駆動手段としてのダルマ１２の駆動腕２２が選択的に係合する。これに対して、上方のデッドボルト１６の後端部にはハの字形状の係合部が形成されていない。
【００３６】
ところで、下のデッドボルト１６の後端部には、クリック機能を有する付勢手段３１が垂直方向に設けられ、この付勢手段３１は、ダルマ１２を付勢している。そして、付勢手段３１は、係合部２１の間隙に位置する上下動杆と、該上下動杆に巻装されたクリックバネとから成る。
【００３７】
次に、各カマデッド１３のカマ１９は、それぞれの固定軸１７及びガイドピンを含む案内手段１８を介してデッドボルト１６に連動（従動）するが、前記固定軸１７は、カマ１９の基端部１９ｂを軸支するように錠箱１の垂直面座１ｃ付近の中央部に横設された支軸であり、各カマ１９は、該固定固軸１７を支点にそれぞれ同時に回転する。そこで、前記案内手段１８は、各カマ１９を回転させることができるように、カマ１９側に形成された不番のガイド長孔と、該ガイド長孔に案内されるデッドボルト１６側の不番のガイドピンとから構成されている。
【００３８】
その他の細部的事項の説明は簡単に説明するが、ダルマ１２は、その環状嵌合部１２ａは錠箱１に設けた嵌合部或いは軸受けに回動自在に嵌合している。また、図６の（ａ）、（ｂ）で示すように、錠箱１の垂直面座１ｃに形成された上部開口３並びに下部開口４は、それぞれ各カマ１９が出入りすることができるように段差状の開口となっている。
【００３９】
（４）作用
閉戸時において、操作手段、例えば図示しないシリンダに差し込んだ合鍵を操作すると、ダルマ１２は、図３で示す矢印Ａ（反時計）方向へと回転する。ダルマ１２が矢印Ａ方向へと回転すると、ダルマ１２の駆動腕２１は下方のカマデッド１３のデッドボルト１６を押し出すことになるが、前述したように、可動ラックを含む歯車機構１４は、ダルマ１２の駆動力により、一方のカマデッド１３（例えば下方のカマデッド）のカマ１９がデッドボルト１６に連動した回転すると、錠箱１の水平ガイド６、６に案内される一つの可動ラック１５が主体となって他方のカマデッド１３（上方のカマデッド）のカマ１９が連動するように回転する。つまり、ダルマ１２の駆動力により、連動手段１４を介して上下のカマデッド１３が同時にフロント１ｃから突出始める。
【００４０】
しかして、上下のデッドボルト１６がダルマ１２の駆動力に基づき同時に水平移動すると、各先端部１６ａが垂直方向の固定部材７の上下の受穴１０に同時に係入するように前記錠箱１の面座１ｃから進出する。そして、図１で示すように、施錠時、前記デッドボルト１６の先端部１６ａは前記固定部材７の受穴１０に係入すると、デッドボルト１６に固定軸１７等を介して連動する上下のカマ１９は、それぞれの鉤状先端部１９ａが固定部材（本実施例ではストライク９）の中央部の掛合部分９ａの裏面に接近状態で掛止される。
【００４１】
この施錠状態で、引戸１又は扉１に開く方向へ力が作用すると、前記掛合部分９ａに集中的に力が加わることになる（開閉体が引戸の場合）或いは受穴１０を有する固定部材７のストライク（ストライクに相当する部分）９に集中的に力が加わることになるが、本実施例では、前記中央部の掛合部分９ａやストライク（ストライクに相当する部分）は、ストライク変形防止部材１１が設けられているので、容易に変形しない。
【実施例】
【００４２】
この欄では、本発明の他の実施例を説明する。なお、他の実施例の説明に当って、本発明の第１実施例と同一の部分には同一又は同様の符号を付して重複する説明を省略する。
まず、図１０乃至図１２は本発明の第２実施例である。この第２実施例に於いて、第１実施例と異なる点は、連動手段１４Ａが上下一対の小歯車（ピニオン）２４と、これらの小歯車（ピニオン）２４にそれぞれ噛合する上下一対の可動ラック（水平方向のラックギヤ）２５とから成ることである。
【００４３】
しかして、図１２で示すように、前記各小歯車２４は、錠箱１に形成された左右一対の合計４個の不番の真円軸孔に、その両端部の支軸２４ａを介してそれぞれ支承されている。また、前記各可動ラック２５は、本実施例では、上下のカマデッド１３Ａ、１３Ａの各デッドボルト１６Ａ、１６Ａの内側の対向側端部にそれぞれ形成されている。付言すると、上下一対の小歯車２４は錠箱１の略中央部に配設されており、下方に位置する小歯車２４は下方のデッドボルト１６Ａの対向側端部に該デッドボルトの長さ方向に所定量形成された下方の可動ラック２５に噛合し、一方、上方に位置する小歯車２４は上方のデッドボルト１６Ａの対向側端部に該デッドボルトの長さ方向に所定量形成された上方の可動ラック２５に噛合している。
【００４４】
したがって、図１０で示すように、施錠時、ダルマ１２が矢印方向へと回転すると、上下のカマデッド１３Ａは、上下一対の小歯車２４を介して同期移動し、各デッドボルト１６Ａの先端部は固定部材７の受穴１０に係入すると共に、カマ１９の先端部は前記受穴１０の周囲における固定部材７の掛合部分９ａの裏面に掛止し得る。
【００４５】
このように可動ラック２５をデッドボルト１６Ａの対向側端部に設け、該可動ラック２５に噛合する小歯車（ピニオン）２４を錠箱１に軸装しても、第１実施例と同一の目的が得られる。
【００４６】
次に、図１３乃至図１６は本発明の第３実施例である。この第３実施例に於いて、第１実施例と異なる点は、連動手段１４Ｂが二本のリンクを主体とするリンク機構であること。すなわち、連動手段１４Ｂは、例えば図１３で示すように、上下のカマ１９の基端部１９ｂとダルマ１２の間にカマデッド同期用の二本のリンク２６、２７が配設されている。
【００４７】
そして、これらのリンク２６、２７の各中央部は、錠箱１に横設軸架された上下一対の固定軸２８にそれぞれ軸支され、かつ互いに連結された内端部２６ａ、２７ａは弧状軌跡を描きながら前後方向へと移行する第１連結可動ピン２９で連結されていると共に、各外端部２６ｂ、２７ｂは上下方向に同時に移動する上下一対の第２連結可動ピン３０を介して対応する上下のデッドボルト１６Ｂ、１６Ｂにそれぞれ連結されている。
【００４８】
なお、特に符号を付さないが、上下一対のリンク２６、２７並びに上下のデッドボルト１６Ｂ、１６Ｂには、施錠時（図１３）では「逆く」の字状となるように、一方、解錠時（図１４）では「く」の字状となるように、さらに、中途時（図１５）では「垂直線」状になるように、第１連結可動ピン２９カイド用の長孔、第２連結可動ピン３０カイド用の長孔がそれぞれ適宜に形成されている。
【００４９】
上記構成に於いて、施錠時、ダルマ１２が回転すると、上下のカマデッド１３Ｂは、二本のリンク２６、２７を介して同期移動し、デッドボルト１６Ｂの先端部は固定部材７の受穴１０に係入すると共に、カマ１９の先端部は前記受穴１０の周囲における固定部材７の掛合部分９ａの裏面に掛止し得る。このように可動ラックを含む歯車機構を、二本のリンク２６、２７を主体とするリンク機構（連動手段）１４Ｂに代えても、第１実施例と同一の目的が得られる。
【００５０】
次に、図１７乃至図２１は本発明の第４実施例である。この第４実施例は、第３実施例と同様に、可動ラックを含む歯車機構１４を、二本のリンク２６Ａ、２７Ａを主体とするリンク機構（連動手段）１４Ｃに代えたものである。したがって、第４実施例のリンク機構（連動手段）１４Ｃを説明するに当って、第３実施例のリンク機構（連動手段）１４Ｂと同一の部分には、説明の便宜上、同様の符号を付する。
【００５１】
この第４実施例は、ダルマ１２Ｃの環状嵌合部１２ａに第１駆動腕２２の反対側に延びる一方のリンク（第１リンク）に相当する第２駆動腕２７Ａを設けている。
【００５２】
しかして、この第４実施例が第１実施例と異なる点は、第１リンクとしてのダルマ１２Ｃの第２駆動腕２７Ａと、他方のカマデッド（実施例では上方のカマデッド）１３Ｃの他方のデッドボルト１６Ｃ（上方のデッドボルト）の後端部に第２連結可動ピン３０Ａを介して接続すると共に錠箱１に横設軸架された固定軸２８Ａに枢支された第２リンク２６Ａとを、一端部が第１連結可動ピン２９Ａを介して前記第２駆動腕２７Ａの突出端部に回動自在に連結された制御金具４１を介して連結したことである。
【００５３】
付言すると、ダルマ１２Ｃの第２駆動腕２７Ａと他方のカマデッド１３Ｃの他方のデッドボルト１６Ｃの後端部に該ダルマ１２Ｃと共働するカマデッド同期用の前記第２駆動腕（第１リンク）２７Ａとデッドボルト側の第２リンク２６Ａとをガイド機能を有する制御金具４１を介して連結状態に配設し、前記第２駆動腕２７Ａの内端部２７ａは、弧状軌跡を描きながら前後方向へと移行する第１連結可動ピン２９Ａを介して前記連結金具４１の一端部に回動自在に連結され、一方、前記連結金具４１に形成された縦方向の案内溝４２に、その内端部２６ａが嵌合する長板状の第２リンク２６Ａは、その中央部（中央部寄りの部位も含む）が錠箱側の固定軸２８Ａに軸支されていると共に、該中央部に連設する外端部２６ｂは、前記他方のデッドボルト１６Ｃの後端部に設けた第２連結可動ピン３０Ａに係合するＵ字形状或いは二股状のリンク係合部となっている。
【００５４】
ところで、本実施例では、他方のデッドボルト１６Ｃ（上方のデッドボルト）の後端部の対向側端部（図面上、下部側）は、適宜に切欠４３されている。これは両端開口の鞘型状制御金具４１が縦方向の案内溝４２を介して長板状の第２リンク２６Ａの内端部２６ａに摺動自在に外嵌合し、かつ第２駆動腕２７Ａ側の第１連結可動ピン２９Ａが弧状軌跡を描きながら前後方向へと移行する際に第２リンク２６Ａを軸支する錠箱１の固定軸２８Ａを支点にして回転する訳であるが、前記固定軸２８Ａが他方のデッドボルト１６Ｃの進退動の障害にならないようにするためである。したがって、本実施例のように切欠４３を前記デッドボルト１６Ｃの後端部に形成しない場合には、例えば錠箱１に横設軸架した固定軸２８Ａが障害にならないように前記後端部に水平方向の長孔や所要の開口を形成すべきである。
【００５５】
また、図１９で示すように、鞘型状制御金具４１の一端部（図面上、下端部）４１ａには、第１連結可動ピン２９Ａを支承する真円軸孔４４が形成されていると共に、該一端部４１ａの前後の側壁には、第２駆動腕２７Ａが前記第１連結可動ピン２９Ａを支点に所定量回動することができるように縦方向の逃がし用切欠４５、４５が形成されている。
【００５６】
一方、鞘型状制御金具４１の不番の正面壁及び背面壁の中央部には、上端部（図面上、上端部）４１ｂの端面から中央部に至る第１連結可動ピン２９Ａ用の垂直案内部分（例えば垂直切欠、垂直突条）４６がそれぞれ形成され、これらの左右一対の垂直案内部分４６は、前述した第２リンク２６Ａの内端部２６ａが嵌入する縦方向の案内溝４２に連通している。
【００５７】
上記構成の作用に関して、リンク機構（連動手段）１４Ｃは、施錠時（図１７）では「逆く」の字状となるように、一方、解錠時（図１８）では「く」の字状となるように、さらに、中途時（図２０）では「垂直線」状になるように作用する点は、第３実施例のリンク機構１４Ｂと基本的には同様である。
【００５８】
その結果、施錠時、ダルマダルマ１２Ｃが回転すると、上下のカマデッド１３Ｃは、第２駆動腕（第１リンク）２７Ａ、鞘型状制御金具４１及び第２リンク２６Ａをそれぞれ介して同期的に移動し、デッドボルト１６Ｃの先端部は固定部材７の受穴１０に係入すると共に、カマ１９の先端部は前記受穴１０の周囲における固定部材７の掛合部分９ａの裏面に掛止し得る。このように可動ラックを含む歯車機構を、二本のリンク２６Ａ、２７Ｂを主体とするリンク機構（連動手段）１４Ｃに代えても、第１実施例と同一の目的が得られる。
【００５９】
最後に、図２２及び図２３は、本発明の受け具７Ａの実施例である。この受け具７Ａに於いて、第１実施例の受け具７と異なる点は、ダブルのカマデッド１３に対応する受け具７Ａのストライク変形防止部材１１Ａの構造で、このストライク変形防止部材１１Ａは柱状ではなく、複数個の係合部（係合爪片、係合突起など）を有する支持枠状に形成されている。
【００６０】
すなわち、３５は左右一対の垂直板で、これらの垂直板３５は後端面の上位と下位にそれぞれ下向きの鉤状係合爪片３６を有する。また、３７は左右の垂直板３５に直交する幅広連結板で、この幅広連結板３７は左右の垂直板３５の略中央部に連結されているので、その内壁面３７ａはストライク９の掛合部分９ａと同じ役割を発揮する。
【００６１】
付言すると、図２２で示すように、ストライク変形防止部材１１Ａを受け具７Ａの中に一体的に設けた場合、各垂直板３５はトロヨケ８の左右の対向側壁８ｂの内壁面に沿って位置付けられると共に、各垂直板３５の後端面の複数の係合爪片３６は、トロヨケ８の垂直底壁８ａの上端部と下端部にそれぞれ形成した合計４つの被係合部（係合長孔、係合突起など）３８に係合し、また、幅広連結板３７は、ストライク９の掛合部分９ａの内壁面と面接触可能な状態に対向する。
【００６２】
このように、受け具（７、７Ａ）の中にストライク変形防止部材（１１、１１Ａ）を該受け具と一体的に設けることにより、ダブルのカマデッド１３に対応する強固な受け具を得ることができる。
【００６３】
なお、特に図示しないが、各カマデッド１３のカマ１９の各鉤状先端部１９ａが、ストライク９の掛合部分の裏面の上位と下位に離れた状態で掛止されるように設計変更しても良い。
【産業上の利用可能性】
【００６４】
本発明は、主に錠前や建具の業界で利用される。
【符号の説明】
【００６５】
1…錠箱、１ｃ…垂直面座（フロント）、２…開閉体、３…カマデッド用上部開口、４…下方のカマデッド用下部開口、７、７Ａ…垂直方向の固定部材（柱、戸枠の縦枠、受け具）、６…水平ガイド、８…トロヨケ、８ａ…垂直底壁、９、９Ａ…ストライク、９ａ…掛合部分、１０、１０Ａ…受穴（係入穴）、１１、１１Ａ…ストライク変形防止部材、１２、１２Ｃ…ダルマ、１２ａ…ダルマの環状嵌合部、１３、１３Ａ…カマデッド、１４、１４Ａ、１４Ｂ、１４Ｃ…連動手段、１５…可動ラック、１５ａ…突条、１５ｂ…被係合部、１６、１６Ａ、１６Ｂ、１６Ｃ…デッドボルト、１６ａ…先端部、１７…固定軸（支軸）、１８…案内手段、１９…カマ、１９ａ…先端部、１９ｂ…基端部、２０…カマ係合部、２１…係合部、２２…ダルマの駆動腕、２３…所定の空間、２４…小歯車（ピニオン）、２４ａ…支軸、２５…可動ラック（水平方向のラックギヤ）、２６、２７、…二本のリンク、２６ａ、２７ａ…内端部、２６Ａ…第２リンク、２７Ａ…第２駆動腕、２８、２８Ａ…固定軸、２９、２９Ａ…第１連結可動ピン、３０、３０Ａ…第２連結可動ピン、３１…付勢手段、４１…制御金具、４２…縦方向の案内溝、４３…切欠、４５…縦方向の逃がし用切欠、４６…垂直案内部分。
【図１】
2010159554.tif 000003
【図２】
2010159554.tif 000004
【図３】
2010159554.tif 000005
【図４】
2010159554.tif 000006
【図５】
2010159554.tif 000007
【図６】
2010159554.tif 000008
【図７】
2010159554.tif 000009
【図８】
2010159554.tif 000010
【図９】
2010159554.tif 000011
【図１０】
2010159554.tif 000012
【図１１】
2010159554.tif 000013
【図１２】
2010159554.tif 000014
【図１３】
2010159554.tif 000015
【図１４】
2010159554.tif 000016
【図１５】
2010159554.tif 000017
【図１６】
2010159554.tif 000018
【図１７】
2010159554.tif 000019
【図１８】
2010159554.tif 000020
【図１９】
2010159554.tif 000021
【図２０】
2010159554.tif 000022
【図２１】
2010159554.tif 000023
【図２２】
2010159554.tif 000024
【図２３】
2010159554.tif 000025